(57)【特許請求の範囲】
【請求項１】
ガスメータから定期的に送信される未接続検知信号を検出する未接続検知信号検出手段と、
ガスメータから定期的に送信される電源アンサ要求信号を検出する電源アンサ要求信号検出手段と、
前記未接続検知信号検出手段による未接続検知信号、又は前記電源アンサ要求信号検出手段による電源アンサ要求信号のいずれかの検出に基づいて前記ガスメータとの連動接続の有無を判定するメータ接続有無判定手段と、
前記メータ接続有無判定手段の出力により前記連動接続に対応する警報遅延時間を自動的に設定し出力することで異なる警報遅延時間に切換設定する警報遅延時間設定出力手段と、
を備えることを特徴とするガス警報器における警報遅延時間自動切換設定装置。
【請求項２】
前記未接続検知信号検出手段による未接続検知信号の検出および前記電源アンサ要求信号検出手段による電源アンサ要求信号の検出があったときは、前記メータ接続有無判定手段が前記ガスメータとの連動接続の有りを判定出力し、前記警報遅延時間設定出力手段が自動的に警報遅延時間を設定し出力することで警報遅延時間を切換設定することを特徴とする請求項１に記載のガス警報器における警報遅延時間自動切換設定装置。
【請求項３】
ガスメータからの電源アンサ要求信号の電源アンサ要求信号検出手段による検出および未接続検知信号を未接続検知信号検出手段により検出したときは、検出した信号に基づいてメータ接続有無判定手段が該ガスメータとの連動接続有りを判定すると共に警報遅延時間設定出力手段が前記連動接続に対応する警報遅延時間を出力して自動的に警報遅延時間に切換設定することを特徴とするガス警報器における警報遅延時間自動切換設定方法。
【請求項４】
ガスメータからの電源アンサ要求信号の電源アンサ要求信号検出手段による検出または未接続検知信号の未接続検知信号検出手段による検出のいずれかを検出したときは、検出した信号に基づいてメータ接続有無判定手段が該ガスメータとの連動接続有りを判定すると共に警報遅延時間設定出力手段が連動接続に対応する警報遅延時間を出力して自動的に警報遅延時間に切換設定することを特徴とするガス警報器における警報遅延時間自動切換設定方法。
【請求項５】
前記電源アンサ要求信号の電源アンサ要求信号検出手段による検出または前記未接続検知信号の未接続検知信号検出手段による検出により、前記メータ接続有無判定手段が前記ガスメータとの連動接続が有ると判定した場合には、前記警報遅延時間設定出力手段が連動接続に対応する警報遅延時間を前記ガスメータのガス遮断時間に対応する時間に設定し出力することで警報遅延時間を自動的に切換設定することを特徴とする請求項３または４に記載のガス警報器における警報遅延時間自動切換設定方法。
【発明の詳細な説明】
【技術分野】
【０００１】
本発明は、ガス漏れ警報器特にＬＰ用ガス漏れ警報器における警報遅延時間を自動的に切換設定する技術に関する。
【背景技術】
【０００２】
従来、ガス漏れ警報器特にＬＰ用ガス漏れ警報器における警報遅延時間は、スプレーなどの雑ガスに感応しないようにするために設けられており、通常、仕様が決定された時に、警報遅延時間を固定し設定している。その場合、警報遅延時間をタイマで設定するのであるが、そのタイマ時間は、ハードタイマ又はマイコンソフトのタイマで時間設定がなされる。そして市場に設置された後は、変更できないようにされていた。なお、警報遅延時間は、ガス漏れ警報器がガス漏れを検知してから、音（音声やブザー）による警報を開始するまでの遅延時間と一般に定義される。
【０００３】
下記特許文献１には、ソフトタイマで固定的に時間設定がなされ、点検中に該タイマを動作させてその期間は警報が発報されないようにして誤報を防ぐ技術が開示されている。
なお、市場に設置された後であって、種別の異なる警報器を点検しなければならない時のように警報遅延時間の切換が必要な場合は、スライドスイッチ、ディップスイッチ等を操作して警報遅延時間を切り換えるようにしていた。
【先行技術文献】
【特許文献】
【０００４】
【特許文献１】特開平4-331361号公報（図１）
【発明の概要】
【発明が解決しようとする課題】
【０００５】
上述のように従来は、一度設定されたガス漏れ警報器特にＬＰ用ガス漏れ警報器における警報遅延時間が固定化されているためその警報遅延時間を変更することができないか、またはその警報遅延時間を変更するにあたってはディップスイッチ等の操作スイッチによる面倒な変更操作が必要となるという問題点があった。
【０００６】
そこで本発明は、ガスメータとの連動接続の有無を検出し、連動接続が検出された場合にはガス漏れ警報器の警報遅延時間を自動で設定変更できるようにすることを目的とするものである。
【課題を解決するための手段】
【０００７】
上記課題を解決するために本発明は、ガスメータからの電源アンサ要求信号およびまたは未接続検知信号を検知できるよう構成して、連動によるメータ接続有無により異なる警報遅延時間に自動的に切換設定するようにしたものである。
【発明の効果】
【０００８】
本発明によれば、ガスメータからの信号に基づいてガス警報器の警報遅延時間を異なる警報遅延時間に自動で切換設定できるので、従来例におけるようなディップスイッチ等による面倒な変更操作をする必要性を無くすことができる。
【図面の簡単な説明】
【０００９】
【図１】本発明の実施形態に係るガス漏れ警報器の警報遅延時間自動切換設定装置の構成概要を示すブロック図である。
【図２】本発明の実施形態に係るガス漏れ警報器の警報遅延時間の自動切換設定動作を説明するためのフローチャートである。
【図３】ガスメータからガス漏れ警報器への入力信号波形の一例を示す図である。
【図４】ガス漏れ警報器の一般的な構成を示す回路ブロック図である。
【図５】図４に示した外部通信部の構成を示す回路ブロック図である。
【発明を実施するための形態】
【００１０】
以下、本発明の実施の形態について、詳細に説明する。
図１は、本発明の実施形態に係るガス漏れ警報器の警報遅延時間自動切換設定装置の構成概要を示すブロック図である。図１において本発明の実施形態に係るガス漏れ警報器の警報遅延時間自動切換設定装置は、ガスメータから定期的に送信される未接続検知信号(図３参照）を検出する未接続検知信号検出部１と、ガスメータ（図示せず）から定期的に送信される電源アンサ要求信号(図３参照）を検出する電源アンサ要求信号検出部２と、未接続検知信号、又は電源アンサ要求信号の検出に基づいてガスメータとの連動接続の有無を判定するメータ接続有無判定部３と、メータ接続有無判定部３の出力により前記連動接続に対応する警報遅延時間を自動的に設定し出力する警報遅延時間設定出力部４と、から構成されている。
【００１１】
上記においてガス漏れ警報器の警報遅延時間自動切換設定装置のメータ接続有無判定部を構成する機能ブロックのハードウェア構成は、当業者によく知られているマイコン（micro computer）レベルのコンピュータの中央処理装置（ＣＰＵ）で構成することができるもので、図示していないが、プログラム及びデータ等を記憶するためのメモリ（ＲＯＭ（read only memory），ＲＡＭ（random access memory）をマイコンチップ内に内蔵している。そしてＣＰＵ内には演算処理部を有し、該演算処理部により検出した信号を基にガスメータとの連動接続の有無を判定する。なお、未接続検知信号検出部１および電源アンサ要求信号検出部２は、入出力インタフェースを介して入力される信号を処理するコンピュータの入力装置として実現可能であり、また警報遅延時間設定出力部５は、コンピュータの出力装置として実現可能である。
【００１２】
図２は、本発明の実施形態に係るガス漏れ警報器の警報遅延時間の自動切換設定動作を説明するためのフローチャートである。図２においてステップを“S”と略記する。図２においてまずメータ側からガス漏れ警報器側に入力される未接続検知信号の有無を定期的に監視・測定する。すなわちガス漏れ警報器は、定期的に送信されるガスメータ（図示せず）からの未接続検知信号(図３参照）が検出されるかを監視・測定する(ステップS１)。またガス漏れ警報器は、定期的に送信されるガスメータ（図示せず）からの電源アンサ要求信号(図３参照）が検出されるかを監視・測定する(ステップS2)。
【００１３】
上記ステップS1、ステップS2において未接続検知信号、又は電源アンサ要求信号が測定された場合には、ガス漏れ警報器とガスメータとが接続されていると判定する(ステップS3)。ガス漏れ警報器側で、メータ接続あり（ステップS3：Yes）と判定した場合は、警報遅延時間を10秒に設定する（ステップS5）。警報遅延時間を10秒に設定する理由は、一過性のガスに反応して誤ってガスメータを連動遮断しないようにするためである。一方、ガス漏れ警報器側で、メータ接続なし（ステップS3：No）と判定した場合は、警報遅延時間を0秒に設定する（ステップS4）。
【００１４】
このように警報遅延時間を設けることで、一過性の雑ガスによる誤報を防止する。また上記のようにメータ接続有りを検出することで、ガスメータとガス警報器が連動する場合には、ガス漏れに対する安全性が高い（ガス警報器がガス漏れを検知後、自動的にガスメータはガス流路を遮断し、ガスの流出を防止する）ため、一過性の雑ガスには反応せずガス漏れを確実に検知したのち警報を行うことができる。
【００１５】
図３は、ガスメータからガス漏れ警報器への入力信号波形の一例を示す図である。図３に示す電源アンサ要求信号波形は、信号としてパルス幅が10〜20msとして信号が規定されており、また図３に示す未接続検知信号波形は、信号としてパルス幅が3〜5msとして信号が規定されている。
【００１６】
図４は、ガス漏れ警報器の一般的な構成を示す回路ブロック図である。図４に示すガス漏れ警報器は、ＬＰガス用に構成されているもので、AC(商用電源)100Vを整流し、当業者に周知のスイッチング電源によりDC(直流)5Vを得て制御部12等に電源供給する電源部11と、ガス検知部16からの信号を、A/D(アナログ/デジタル変換器)で読み取り算出してガス漏れ警報を判定したり、判定結果により、表示部13の表示制御や、警報音部14から音を出したり、外部通信部15から警報信号を出力し、さらに外部機器（例.Ｓ型保安ガスメータ）からの信号を外部通信部15から入力され、どのような信号かを判断するマイコンで構成される制御部12と、監視時は点灯し、警報時には点滅する等して１つのＬＥＤ(Light Emission Diode)でガス漏れ警報器の状態を報知する表示部13と、警報を音、例えばブザー、の連続音、断続音などで報知する警報音部14と、外部への信号出力や、外部機器（例.Ｓ型保安ガスメータ）からの信号を読み込む外部通信部15と、センサを用いてガス漏れを検知するガス検知部16と、で構成されている。
【００１７】
図５は、図４に示した外部通信部の構成を示す回路ブロック図である。図５に示す外部通信部15は、外部機器として良く知られたＳ型保安ガスメータ(図示せず)との双方向通信を行う警報器通信部回路を備えるもので、図５において、１）まずガス漏れ警報器（図４参照）からの出力信号について説明すると、ガス漏れ警報器は常時、制御部マイコン12により、「マイコン出力」を”Ｈ”(ハイレベル)にすることで、ＰＣ(Photo Coupler)１（1510）はＯＦＦ状態となり、「メータ通信１」−「メータ通信２」が、ハイインピーダンスの状態となるようにしている。ガス漏れ警報器がガス検知部16でガス漏れを検出し、ガスメータへ信号出力する場合は、制御部マイコン12が「マイコン出力」を”Ｌ”(ロウレベル)にする、つまり電源Vddから抵抗1511を経て電流がＰＣ１（1510）のフォトダイオードに流れるようにすることで、ＰＣ１（1510）はＯＮ状態となり、「メータ通信１」−「メータ通信２」が、ロウインピーダンスの状態となるようにする。ガスメータは、「メータ通信１」から「メータ通信２」になる電路で、電流チェックをすることで、ガス漏れ警報器からの出力信号を認識することができる。
【００１８】
２）次に、ガス漏れ警報器への入力信号について説明すると、ガスメータは常時、「メータ通信１」−「メータ通信２」へ電流を流しているか、電流ゼロの状態にしている。その場合、ＰＣ(Photo Coupler)２（1520）はＯＦＦ状態となり、「マイコン入力」のラインは、電源Vddが抵抗1512を通じて印加されるため”Ｈ”(ハイレベル)となっている。そしてガスメータからガス漏れ警報器へ信号を入力する場合は、ガスメータは、「メータ通信２」から「メータ通信１」になる電路で、抵抗1513を介して電流を流す。そうすると、ＰＣ２（1520）のフォトトランジスタに電流が流れてＰＣ２（1520）がＯＮ状態となり、「マイコン入力」のラインは、”Ｌ”(ロウレベル)となり、本ラインを制御部マイコン12が読み込むことで、ガスメータからの信号を認識することが可能となる。
【００１９】
３）最後に、ガス漏れ警報器とガスメータ間の信号のやりとりについて説明すると、（イ）ガス漏れ警報器が起点となりガスメータへ出力する信号について、ガス漏れ警報時にガス漏れ警報器は、10秒周期、duty比50％のパルス信号を出力する。一方、(ロ)ガスメータが起点となりガス漏れ警報器へ入力する信号について、ガスメータは、信号幅（パルス幅）、信号周期の組み合わせによる数種類の信号をガス漏れ警報器へ入力する。
【００２０】
上述した本発明の実施形態に係るガス漏れ警報器の警報遅延時間自動切換設定装置では、このガスメータが起点となりガス漏れ警報器へ入力する信号のうち、図３に示す電源アンサ要求信号、およびまたは、未接続検知信号を用いて警報遅延時間の自動設定を行うよう構成したものである。
【符号の説明】
【００２１】
１  未接続検知信号検出部
２  電源アンサ要求信号検出部
３  メータ接続有無判定部
４  警報遅延時間設定出力部
11  電源部
12  制御部
13  表示部
14  警報音部
15  外部通信部
16  ガス検知部
1510  PC（フォトカプラー）1
1511  抵抗1
1512  抵抗2
1513  抵抗3
1514  ツェナーダイオード
1520  PC（フォトカプラー）2
【図１】
0005515999.tif 000002
【図２】
0005515999.tif 000003
【図３】
0005515999.tif 000004
【図４】
0005515999.tif 000005
【図５】
0005515999.tif 000006